(57)【要約】【課題】  本発明は、透視用フードが安定してケース本体に設置されるとともに、ケース本体への透視フードの組み付け性が高いディスプレイケースを提供する。【解決手段】  ケース本体を構成する第１板部に形成された差し込み溝を、突出端部側から接合端部に向かって溝の深さが増すよう傾斜する形状としたため、第１板部が横置き、第２板部が縦置きの設置向きの場合には、差し込み溝の底面上に載せた透視用フード（詳細には差し込み端部）に、透視用フードの自重によって第２板部側へ向かう変位力が作用し、透視用フードを第２板部に対して隙間なく組み付けることが可能である。また、透視用フードの側端部の差し込み端部が差し込み溝に挿入されていることで、第１板部と透視用フードとの間の隙間発生も防止できる。このため、透視用フードは、ケース本体に対して隙間なく装着することができ、優れた美観を安定確保できる。【選択図】  図１
2006061186.tif 000002
【特許請求の範囲】
【請求項１】
飾り物を収納するディスプレイケースであって、
第１板部及び該第１板部に垂直に接合された第２板部を有するアングル状のケース本体と、前記第１板部と前記第２板部との間に嵌め込むようにして前記ケース本体に取り付けられることで前記ケース本体との間に前記飾り物を収容する収容空間を形成する着脱自在の透視用フードとを具備し、
前記透視用フードは、前記第１板部の前記第２板部との接合端部とは反対側の突出端部と、前記第２板部の前記第１板部との接合端部とは反対側の突出端部との間にわたって前記収容空間を覆うように延在配置されるフード本体部と、このフード本体部の両側に突設された一対の側壁部とを有し、
各側壁部は、前記第１板部に前記収容空間に臨む内面から窪んだ形状に形成され前記第１板部の前記第２板部との接合端部の両端部から前記接合端部とは反対側の突出端部に向けて延在された差し込み溝に差し込まれる差し込み端部と、前記第２板部に当接される当接端部とを有し、
前記差し込み溝は、前記第１板部の前記突出端部から前記接合端部側に行くに従って前記内面側から前記内面からの深さが増すように形成され、前記透視用フードの前記差し込み端部は、前記第１板部の内面から前記差し込み溝内に挿入される部分の大きさが、フード本体部側から前記当接端部側に行くに従って増すように形成されており、
前記第１板部が横置きかつ前記第２板部が縦置きとなる向きと、前記第１板部が縦置きかつ前記第２板部が横置きとなる向きとに設置向きが切り換え可能になっていることを特徴とするディスプレイケース。
【請求項２】
飾り物を収納するディスプレイケースであって、
横置きに設置される第１板部及び該第１板部上に立設された第２板部を有するケース本体と、前記第１板部と前記第２板部との間に嵌め込むようにして前記ケース本体に取り付けられることで前記ケース本体との間に前記飾り物を収容する収容空間を形成する着脱自在の透視用フードとを具備し、
前記透視用フードは、前記第１板部の前記第２板部との接合部とは反対側の突出端部と、前記第２板部の前記第１板部との接合端部とは反対側の突出端部との間にわたって前記収容空間を覆うように延在配置されるフード本体部と、このフード本体部の両側に突設された一対の側壁部とを有し、
各側壁部は、前記第１板部に前記収容空間に臨む内面から窪んだ形状に形成され前記第１板部の前記第２板部との接合端部の両端部から前記接合端部とは反対側の突出端部に向けて延在された差し込み溝に差し込まれる差し込み端部と、前記第２板部に当接される当接端部とを有し、
前記差し込み溝は、前記第１板部の前記突出端部から前記接合端部側に行くに従って前記内面側から前記内面からの深さが増すように形成され、前記透視用フードの前記差し込み端部は、前記第１板部の内面から前記差し込み溝内に挿入される部分の大きさが、フード本体部側から前記当接端部側に行くに従って増すように形成されていることを特徴とするディスプレイケース。
【請求項３】
前記フード本体部は、前記第１板部の突出端部に係脱可能に係合される第１係止爪と、前記第２板部の突出端部に係脱可能に係合される第２係止爪とを有し、
前記第２係止爪は、前記透視用フードを第２板部に沿って第１板部と第２板部との接合部に接近させるようにして移動させることで、前記第２板部の突出端部に係合されるようになっていることを特徴とする請求項１又は２記載のディスプレイケース。
【発明の詳細な説明】
【技術分野】
【０００１】
本発明は、玩具やコレクション等を収納し、例えば棚や机上に置いて観賞、保管するためのディスプレイケースに関する。
【背景技術】
【０００２】
従来、玩具やコレクション等を収納するディスプレイケースとしては、図４に示すように、横置きに設置される第１板部（ベース板）１０１上に第２板部（背板）１０２が立設された構造のＬ字形（アングル状）のケース本体１００と、このケース本体１００の第１板部１０１と第２板部１０２との間に嵌め込むようにして設けられる透視用フード１０３とによって箱形に組み立てられるものが広く提供されている。
なお、ディスプレイケースとしては、例えば特許文献１記載のもの等が既に提案されている。
【特許文献１】特開２００４−１３５９１４号公報
【発明の開示】
【発明が解決しようとする課題】
【０００３】
上述のようなディスプレイケースにあっては美観確保が重要であるが、透視用フードとケース本体との間に隙間が発生しやすいといった不満があった。
隙間の主な原因は以下の通りである。
（１）ケース本体に対する透視用フードの取り付け不良。
（２）ケース本体は、２つの板部を接合して組み立てられる構造が一般的であり、２つの板部を接合した後、加振、経年劣化等によって、接合角度に若干の狂いが生じるだけで、隙間が発生してしまう。
透視用フードとケース本体との間の隙間の内、特に、第２板部（背板）と透視用フードとの間に発生する隙間は目に付きやすく、ディスプレイケースの美観に悪影響を与えやすい。また、人形（立像）等の背の高い物品（飾り物）を収納するディスプレイケースとしては、第１板部に対して第２板部のサイズが大きく、第１板部上に載せた縦長の透視用フードが第２板部に沿わせるようにして設置される構造になっているものが多用されるが、このようなディスプレイケースの場合は、第１板部上での透視用フードの設置状態が安定しにくく、第２板部と透視用フードとの間に隙間が発生しやすいといった不満があった。
【０００４】
本発明は上述の問題に鑑みて、透視用フードが安定してケース本体に設置され、ケース本体と透視用フードとの間に隙間が発生するのを防止するとともに、ケース本体への透視フードの組み付け性が高いディスプレイケースを提供する。
【課題を解決するための手段】
【０００５】
前記課題を解決するため、本発明は、飾り物を収納するディスプレイケースであって、  第１板部及び該第１板部に垂直に接合された第２板部を有するアングル状のケース本体と、前記第１板部と前記第２板部との間に嵌め込むようにして前記ケース本体に取り付けられることで前記ケース本体との間に前記飾り物を収容する収容空間を形成する着脱自在の透視用フードとを具備し、前記透視用フードは、前記第１板部の前記第２板部との接合端部とは反対側の突出端部と、前記第２板部の前記第１板部との接合端部とは反対側の突出端部との間にわたって前記収容空間を覆うように延在配置されるフード本体部と、このフード本体部の両側に突設された一対の側壁部とを有し、各側壁部は、前記第１板部に前記収容空間に臨む内面から窪んだ形状に形成され前記第１板部の前記第２板部との接合端部の両端部から前記接合端部とは反対側の突出端部に向けて延在された差し込み溝に差し込まれる差し込み端部と、前記第２板部に当接される当接端部とを有し、前記差し込み溝は、前記第１板部の前記突出端部から前記接合端部側に行くに従って前記内面側から前記内面からの深さが増すように形成され、前記透視用フードの前記差し込み端部は、前記第１板部の内面から前記差し込み溝内に挿入される部分の大きさが、フード本体部側から前記当接端部側に行くに従って増すように形成されており、前記第１板部が横置きかつ前記第２板部が縦置きとなる向きと、前記第１板部が縦置きかつ前記第２板部が横置きとなる向きとに設置向きが切り換え可能になっていることを特徴とするディスプレイケースを提供する。
また、本発明は、飾り物を収納するディスプレイケースであって、横置きに設置される第１板部及び該第１板部上に立設された第２板部を有するケース本体と、前記第１板部と前記第２板部との間に嵌め込むようにして前記ケース本体に取り付けられることで前記ケース本体との間に前記飾り物を収容する収容空間を形成する着脱自在の透視用フードとを具備し、前記透視用フードは、前記第１板部の前記第２板部との接合部とは反対側の突出端部と、前記第２板部の前記第１板部との接合端部とは反対側の突出端部との間にわたって前記収容空間を覆うように延在配置されるフード本体部と、このフード本体部の両側に突設された一対の側壁部とを有し、各側壁部は、前記第１板部に前記収容空間に臨む内面から窪んだ形状に形成され前記第１板部の前記第２板部との接合端部の両端部から前記接合端部とは反対側の突出端部に向けて延在された差し込み溝に差し込まれる差し込み端部と、前記第２板部に当接される当接端部とを有し、前記差し込み溝は、前記第１板部の前記突出端部から前記接合端部側に行くに従って前記内面側から前記内面からの深さが増すように形成され、前記透視用フードの前記差し込み端部は、前記第１板部の内面から前記差し込み溝内に挿入される部分の大きさが、フード本体部側から前記当接端部側に行くに従って増すように形成されていることを特徴とするディスプレイケースを提供する。
なお、前記フード本体部は、前記第１板部の突出端部に係脱可能に係合される第１係止爪と、前記第２板部の突出端部に係脱可能に係合される第２係止爪とを有し、前記第２係止爪は、前記透視用フードを第２板部に沿って第１板部と第２板部との接合部に接近させるようにして移動させることで、前記第２板部の突出端部に係合されるようになっている構成とすることが好ましい。
【発明の効果】
【０００６】
本発明によるディスプレイケースによれば、ケース本体を構成する第１板部に形成された差し込み溝を、突出端部側から接合端部に向かって溝の深さが増すよう傾斜する形状としたため、第１板部が横置き、第２板部が縦置きの設置向きの場合には、差し込み溝の底面上に載せた透視用フード（詳細には差し込み端部）に、透視用フードの自重によって第２板部側へ向かう変位力が作用し、透視用フードを第２板部に対して隙間なく組み付けることが可能である。また、透視用フードの側端部の差し込み端部が差し込み溝に挿入されていることで、第１板部と透視用フードとの間の隙間発生も防止できる。このため、透視用フードは、ケース本体に対して隙間なく装着することができ、優れた美観を安定確保できる。また、請求項１記載のディスプレイケースは、縦置きと横置きの何れかを選択して使用することが可能であり、ディスプレイケース内部に収容する飾り物の形状や大きさに合わせて設置向きを選択して、第１板部と第２板部とを使い分けるといったことも可能となる。
【発明を実施するための最良の形態】
【０００７】
以下、本発明を実施するための最良の形態について、図面を参照して説明する。
図１、図２は、本発明に係るディスプレイケースを示す図である。図１に示すように本発明のディスプレイケース１は、第１板部２１及び該第１板部２２に垂直に接合された第２板部２２を有するアングル状のケース本体２と、前記第１板部２１と前記第２板部２２との間に嵌め込むようにして前記ケース本体２に取り付けられることで前記ケース本体２との間に飾り物５（図２参照）を収容する収容空間４を形成する着脱自在の透視用フード３とを具備した構成になっている。
【０００８】
図１、図３（ａ）に示すように、ケース本体２は、第１板部２１の係合部２１ｈと第２板部２２の係合部２２ｈとを係合させることで、第１板部２１と第２板部２２とを接合してアングル状に形成したものである。なお、図３では、係合爪である係合部２２ｈを、突壁である係合部２１ｈに係合される構成を例示しているが、本発明はこれに限定されず、第１、第２板部２１、２２同士を接合して接合部２３を構成するための構造としては、例えば係合爪同士の係合等であっても良い。
【０００９】
第１板部２１は長方形板状の部材であり、２長辺の内の一方（接合端部２１ｂ）が、第２板部２２の接合端部２２ｂと係合部２１ｈ、２２ｈによって連結して接合される。第１板部２１の上面には平面状のステージ面２１ｅが形成されるとともに、このステージ面２１ｅの反対側の面には接地面２１ｉが形成される。また、前記ステージ面２１ｅの外周の縁に沿って囲むようにしてフード受面２１ｆが、前記ステージ面２１ｅに対して段差が設けられた形で、接地面２１ｉ側に寄った位置に、前記接合端部２１ｂとは反対側の長寸端部である突出端部２１ａ及び第１板部２１の２つの短寸端部である側端部２１ｃ、２１ｄの３つの端部の側に形成されている。前記フード受面２１ｆの内、前記側端部２１ｃ、２１ｄに形成された面には、差し込み溝２１ｇが、前記突出端部２１ａから前記接合端部２１ｂ側に行くに従って前記フード受面２１ｆ表面からの深さが増すように、それぞれ形成されている。
また、フード受面２１ｆとステージ面２１ｅとの間には、段差面２１ｊが、フード受面２１ｆ及びステージ面２１ｅに垂直に形成されている。前記ステージ面２１ｅは、前記フード受面２１ｆに取り囲まれる内側のステージ２１ｎ上の平坦面であり、前記段差面２１ｊは、フード受面２１ｆとステージ面２１ｅの間におけるステージ２１ｎの側面である。
この第１板部２１は樹脂一体成形品であり（第２板部２２もこの点は同じ）、前記差し込み溝２１ｇは、第１板部２１の一部を湾曲成形して形成されている（図１（ｂ）、図２（ａ）参照）。
【００１０】
一方、第２板部２２は、正方形板状の部材である。前記接合端部２２ｂは、第２板部２２の一辺である。接合端部２２ｂと、該接合端部２２ｂの反対側に位置する突出端部２２ａとの間の距離、すなわち第１、第２板部２１、２２の接合部２３から延びる第２板部２２の延在方向（突出方向）寸法は、接合部２３から延びる第１板部２１の延在方向（突出方向）寸法よりも大きければ良く、第２板部２２は必ずしも正方形板状である必要は無い。第２板部２２の一方の面には平面状のステージ面２２ｅが形成されるとともに、このステージ面２２ｅの反対側には接地面２２ｉが形成される。また、前記ステージ面２２ｅの外周の縁に沿って囲むようにしてフード受面２２ｆが、前記ステージ面２２ｅに対して段差が設けられた形で、接地面２２ｉ側に寄った位置に、前記突出端部２２ａ及び該突出端部２２ａの両端から接合端部２２ｂまで延在する両側端部２２ｃ、２２ｄの計３つの端部の側に形成されている。
また、フード受面２２ｆとステージ面２２ｅとの間には、段差面２２ｊが、フード受面２２ｆ及びステージ面２２ｅに垂直に形成されている。前記ステージ面２２ｅは、前記フード受面２２ｆに取り囲まれる内側のステージ２２ｎ上の平坦面であり、前記段差面２２ｊは、フード受面２２ｆとステージ面２２ｅにおけるステージ２２ｎの側面である。この第２板部２２には、差し込み溝は形成されていない。
なお、第１、第２板部２１、２２のステージ面２１ｅ、２２ｅには、化粧シート等を貼付しておくことが好ましい。
【００１１】
透視用フード３は、透明（若干、着色されていても良い）の樹脂による一体成形品であり、前記第１板部２１の突出端部２１ａと前記第２板部２２の突出端部２２ａとの間にわたって前記収容空間４を覆うように延在配置されるフード本体部３１と、このフード本体部３１の両側に突設された一対の側壁部３２ａ、３２ｂとを有して構成されている。
ここで、前記フード本体部３１は、前記第１板部２１の突出端部２１ａに形成されている段差面２１ｊに設けられた第１係止孔２１ｋに挿入することで第１板部２１に係脱可能に係合される第１係止爪３１ａ（図３（ｃ）参照）を延在方向の一端部３１ｃに有し、前記第２板部２２の突出端部２２ａに形成されているフード受面２２ｆに設けられた第１係止孔２２ｋに挿入することで第２板部２２に係脱可能に係合される第２係止爪３１ｂ（図３（ｂ）参照）を延在方向の他端部３１ｄに有している。このフード本体部３１は、ケース本体２に組み付けた時に、収容空間４を介して第１板部２１と対面配置される第１透視板部３１ｅと、この第１透視板部３１ｅにほぼ垂直に設けられ、収容空間４を介して第２板部２２と対面配置される第２透視板部３１ｆとで構成されている。
また、側壁部３２ａ、３２ｂは、前記ケース本体２の第１板部２１に形成された差し込み溝２１ｇに挿入される差し込み端部３２ｃ、３２ｄと、前記ケース本体２の第２端部２２に当接する当接端部３２ｅ、３２ｆを有している。
【００１２】
以下に、ケース本体２に透視用フード３を組み付けてディスプレイケース１を完成させて使用する形態を説明するが、本発明のディスプレイケース１は、縦置き使用（図２（ａ）のように第１板部２１が横置き、第２板部２２が縦置きの設置向き）と横置き使用（図２（ｂ）のように第１板部２１が縦置き、第１板部２２が横置きの設置向き）の何れかを選択して使用することが可能である。また、ケース本体２に透視用フード３を取り付けると、箱型のディスプレイケース１が組み立てられるが、これには限定されず、例えば、透視用フードとしてフード本体部が円弧板のもの等も採用可能である。
【００１３】
図１（ａ）、図２（ａ）等に示すように、縦置き使用時のディスプレイケース１は、透視用フード３の側壁部３２ａ、３２ｂに形成された差し込み端部３２ｃ、３２ｄを、アングル状のケース本体２の横置き状態にしておいた第１板部２１のフード受け面２１ｆ上で、突出端部２１ａ側から接合部２３に向けて滑らせるようにして透視用フード３を移動させ、差し込み端部３２ｃ、３２ｄをフード受面２１ｆの内の前記側端部２１ｃ、２１ｄの各々の側に形成された差し込み溝２１ｇの内部に、滑り込ませるようにして差し込む（図２（ａ）参照）とともに、透視用フード３に形成された第１係止爪３１ａを第１板部２１の段差面２１ｊに形成された第１係止孔２１ｋに押し込んで第１板部２１に係合させ、透視用フード３に形成された第２係止爪３１ｂを第２板部２２のフード受面２２ｆに形成された第２係止孔２２ｋに押し込んで第２板部２２に係合させることで組み立てられる。ケース本体２と透視用フード３によって囲まれた空間は収容空間４として形成されるとともに、この収容空間４は、透明に形成された透視用フード３の外側から透視可能となる。
【００１４】
ここで、前記差し込み溝２１ｇは、第１板部２１の突出端部２１ａ側から接合端部２２ｂ側へ向かうに従って深さが増して行く形状を有し、傾斜して形成されている（図２（ａ）の寸法Ｆ参照）。一方、この差し込み溝２１ｇに差し込まれて組み付けられる透視用フード３の差し込み端部３２ｃ、３２ｄも、一端部３１ｃ側から当接端部３２ｅ、３２ｆ側に向かうに従って、差し込み端部３２ｃ、３２ｄの下方に向かって傾斜する（つまり、図１（ａ）に示したように、フード本体部３１側に比べて当接端部３２ｅ、３２ｆ側が下方に寸法Ｈだけ長くなる）形状を有している。このため、透視用フード３を、第１板部２１上でスライド移動させてケース本体２に取り付ける際、前記差し込み溝２１ｇの傾斜によって透視用フード３に自重で第２板部２２側への変位力が与えられ、透視用フード３が第２板部２２に押し付けられた状態で組み付けられる。このため、第２板部２２と透視用フード３との間には隙間の発生が防止される。また、透視用フード３の差し込み端部３２ｃ、３２ｄが差し込み溝２１ｇに挿入されているため、透視用フード３と第１板部２１との間にも隙間の発生が防止される。
【００１５】
ここまで、本発明に係るディスプレイケース１の構成について、このディスプレイケース１が縦置きとなっている形態を基本として説明したが、このディスプレイケース１を横置きにして使用する場合は、図２（ｂ）に示すように、第１板部２１が縦置きかつ第２板部２２が横置きとなる向きに設置する。第２板部２２に形成されたステージ２２ｎの上面であるステージ面２２ｅに観賞物である飾り物５が載せられる。この飾り物５は、横置きとされているディスプレイケース１の内部において、幅広空間として形成されている収容空間４に収容されて透視用フード３の外部から飾り物５を透視して観賞することが可能となっている。一方、前述の縦置き使用の状態では、載せた飾り物５は、縦長空間として形成されている収容空間４に収容される。
このように、本発明に係るディスプレイケース１は、設置する向きを変更することにより、その収容する飾り物５の形状や大きさ等に合った使用形態を選択することができる。
横置き使用の場合は、透視用フード３の自重で、透視用フード３と第２板部２２との間に隙間が発生することが防止されるとともに、差し込み溝２１ｇに透視用フード３の差し込み端部３２ｃ、３２ｄが入り込んでいることで、透視用フード３と第１板部２１との間についても、隙間が発生しにくくなっている。
【００１６】
なお、図１（ａ）、（ｃ）に示したように、第１板部２１の突出端部２１ａに形成されたフード受面２１ｆ表面に、小型の突起片２１ｍを設けてやることにより、ケース本体２に取り付けた透視用フード３の一端部３１ｃがこの突起片２１ｍとステージ２１ｎとの間に保持され、透視用フード３のケース本体２への組み付け状態がさらに安定する。また、この突起片２１ｍは、前記フード受面２１ｆ表面の２箇所以上に設けてやることにより、さらに組み付け状態が安定する。この突起片２１ｍは、横置き使用時におけるケース本体２に対する透視用フード３の装着安定性の確保に寄与する。
【００１７】
また、本実施形態においては、飾り物５を載せるステージ（２１ｎ、２２ｎ）を第１板部２１及び第２板部２２の両方に備え、縦置き使用と横置き使用の両方を可能としているが、ステージ（２１ｎ、２２ｎ）を何れか一方のみとし、縦置き使用又は横置き使用の何れかに限定した構成としても良い。但し、第１、第２板部２１、２２の内、少なくとも横置きに設置される側に差し込み溝を設けることとする。
【００１８】
また、本実施形態においては、差し込み溝（２１ｇ）を第１板部２１側に設けたが、第２板部２２側に設けても良いし、また第１板部２１と第２板部２２の両方に設けてもいい。この場合、差し込み溝に差し込まれる透視用フード３側の各々の端部の形状についても、差し込み溝への差し込み形態に合わせて変更してやれば良い。
【００１９】
また、本発明においては、透視用フード３のケース本体２への組み付け固定について、透視用フード３側に設けられた係止爪を、ケース本体２側に設けられた係止孔に挿入係合することで行っているが、例えば、突起と孔の嵌合によるもの等、他の方法も採用できる。
【図面の簡単な説明】
【００２０】
【図１】本発明に係るディスプレイケースを示す図であり、（ａ）は組み付け形態を示す斜視図、（ｂ）は（ａ）に示したＡ−Ａ部の断面図、（ｃ）は（ａ）に示したＢ部の拡大図である。
【図２】本発明に係るディスプレイケースの設置の形態を示す図であり、（ａ）は縦置き使用で設置した図、（ｂ）は横置き使用で設置した図である。
【図３】本発明に係るディスプレイケースを示す部分図であり、（ａ）はケース本体の係合部を示す図、（ｂ）は図２（ａ）のＣ部を示す拡大図、（ｃ）は図２（ａ）のＤ部を示す拡大図である。
【図４】従来のディスプレイケースを示す斜視図である。
【符号の説明】
【００２１】
１…ディスプレイケース、２…本体ケース、２１…第１板部、２１ａ…突出端部、２１ｂ…接合端部、２１ｇ…差し込み溝、２１ｈ…係合部、２１ｋ…第１係止孔、２１ｍ…突起片、２１ｎ…ステージ、２２…第２板部、２２ａ…突出端部、２２ｂ…接合端部、２２ｈ…係合部、２２ｋ…第２係止孔、２２ｎ…ステージ、２３…接合部、３…透視用フード、３１…フード本体部、３１ａ…第１係止爪、３１ｂ…第２係止爪、３２ａ、３２ｂ…側壁部、３２ｃ、３２ｄ…差し込み端部、３２ｅ、３２ｆ…当接端部、４…収容空間、５…飾り物
【図１】
2006061186.tif 000003
【図２】
2006061186.tif 000004
【図３】
2006061186.tif 000005
【図４】
2006061186.tif 000006